(57)【要約】      （修正有）【課題】上下二段で連続する二ヶ月の暦を同時に一覧できて、しかも常に上が先の月で下が後の月という位置関係が変わらず、筆記用具の保持収納部を有する二ヶ月カレンダーを提供する。【解決手段】所定枚数の暦葉の背後に暦葉と同幅の吊り下げ台紙を重ね合わせ、該暦葉と吊り下げ台紙の上縁に所定幅で設定された綴じ代に円形貫通孔を列設した上、ホットメルト接着剤を注入し、コの字状に折り曲げられたカバー紙片により挟持し圧着することで綴じ部を形成するとともに、暦葉には綴じ代の下辺側に切り取り用ミシン目を打ち抜き形成している。また、前記吊り下げ台紙の下縁に沿って設けられた所定幅の折り返し部には、暦葉を挿着挟持する構造を持ったホルダーを掛合しており、該ホルダーを持ち上げて壁に掛けた時、綴じ部を中央にして吊り下げ台紙が上で暦葉が下の状態になるとともに、該綴じ部が前方上向き傾斜状に形成される。【選択図】図５
2007050603.tif 000002
【特許請求の範囲】
【請求項１】
所定枚数の暦葉の背後に暦葉と同幅の吊り下げ台紙を重ね合わせ、該暦葉と吊り下げ台紙の上縁に所定幅で設定された綴じ代に円形貫通孔を列設した上、ホットメルト接着剤を注入し、コの字状に折り曲げられたカバー紙片により挟持し圧着することで綴じ部を形成するとともに、暦葉には綴じ代の下辺側に切り取り用ミシン目を打ち抜き形成している。また、前記吊り下げ台紙の下縁に沿って設けられた所定幅の折り返し部には、暦葉を挿着挟持する構造を持ったホルダーを掛合しており、該ホルダーを持ち上げて壁に掛けた時、綴じ部を中央にして吊り下げ台紙が上で暦葉が下の状態になるとともに、該綴じ部が前方上向き傾斜状に形成されることを特徴とする二ヶ月カレンダー。
【発明の詳細な説明】
【技術分野】
【０００１】
本発明は、壁に掛けて使用するカレンダーの中で、常に二ヶ月分の暦を一覧するカレンダーの技術分野に関するものである。
【背景技術】
【０００２】
カレンダーは単に日付と曜日を確認するだけでなく予定表として使われることも多いが、従来の二ヶ月カレンダーは、一枚の暦葉に連続する二ヶ月分の暦を併記したものが多く、後の月の後半ともなれば、次月の予定を記入するためには、その都度使用中の暦葉を捲り上げ、次月の暦を活用しなければならないという煩わしさがあった。しかも次月の予定を記入しても、当月においては見ることができないという難点があった。
【０００３】
そこで、一枚の暦葉に連続する二ヶ月分の暦を併記したカレンダーで、先の月が終了した時点で先の月の暦部分を切り取ると、後の月に続く月の暦が表れ、結果として一年を通して連続する二ヶ月分の暦を一覧できるようにしたものもある。（例えば特許文献１及び２参照）また、暦葉とほぼ同形の台紙の一辺に奇数月の暦葉の一辺をコイル状連結具で連結し、前記台紙の一辺と対向する辺に偶数月の暦葉の一辺をコイル状連結具で連結し、台紙と奇数月、偶数月の暦葉をしかるべく回動させることにより、一年を通して連続する二ヶ月分の暦を一覧できるようにしたものもある。（例えば特許文献３参照）
【０００４】
【特許文献１】実用新案公開平６−０２００６５号
【特許文献２】特許公開平８−０７２４３８号
【特許文献３】実用新案公開昭６３−２０１７６９号
【発明の開示】
【発明が解決しようとする課題】
【０００５】
確かに、特許文献１及び２に記載のカレンダーは、一年を通して連続する二ヶ月分の暦を一覧できるが、ひと月ごとに先の月と後の月の位置関係が逆転するので、使用上の違和感があり使い辛いという難点がある。また、特許文献３に記載のカレンダーは、一年を通して連続する二ヶ月分の暦を一覧でき、上が先の月で下が後の月という位置関係も変わらないが、構造が複雑で月替え操作が煩雑であり、構造上厚紙を使用せざるを得ず、且二本のコイル状連結具を使用するため重くなるという難点がある。しかもこれらのカレンダーはどれも筆記用具を保持する構造がなく、予定の記入に際してはその都度筆記用具を準備しなければならないという煩わしさがあった。そこで本発明は、構造が簡単であって、一年を通して上下二段で連続する二ヶ月の暦を同時に一覧できて、しかも常に上が先の月で下が後の月という位置関係が変わらず、筆記用具の保持収納部を有する二ヶ月カレンダーを提供することを課題とする。
【課題を解決するための手段】
【０００６】
本発明は、上記の課題を解決するために、所定枚数の暦葉の背後に暦葉と同幅の吊り下げ台紙を重ね合わせ、該暦葉と吊り下げ台紙の上縁に所定幅で設定された綴じ代に円形貫通孔を列設した上、ホットメルト接着剤を注入し、コの字状に折り曲げられたカバー紙片により挟持し圧着することで綴じ部を形成するとともに、暦葉には綴じ代の下辺側に切り取り用ミシン目を打ち抜き形成している。また、前記吊り下げ台紙の下縁に沿って設けられた所定幅の折り返し部には、暦葉を挿着挟持する構造を持ったホルダーを掛合しており、該ホルダーを持ち上げて壁に掛けた時、綴じ部を中央にして吊り下げ台紙が上で暦葉が下の状態になるとともに、該綴じ部が前方上向き傾斜状に形成されることを特徴とする二ヶ月カレンダーを提供する。
【発明の効果】
【０００７】
本発明の二ヶ月カレンダーの、吊り下げ台紙の下縁に沿って設けられた所定幅の折り返し部に掛合されているホルダーを持ち上げて壁に掛けると、綴じ部を中央にして吊り下げ台紙が上で暦葉が下の状態になる。
【０００８】
ここで、暦葉の上縁に所定幅で設定された綴じ代の下辺側に打ち抜き形成された切り取り用ミシン目で最表部の暦を切り取り、ホルダーの挿着挟持部に挿入すれば、上が先の月で下が後の月という位置関係で二ヶ月分の暦を一覧することができる。以後、先の月の終了時点で後の月の暦を切り取り、それをホルダーの挿着挟持部に挿入することを繰り返せば、一年を通して常に上が先の月で下が後の月という位置関係が変わらない二ヶ月分の暦を一覧できるという利便性がある。
【０００９】
しかも、構造が簡単なため軽くて使いやすく、月替え操作も壁に掛けたままでできる。さらに、前記綴じ部が前方上向き傾斜状に形成されるので、数本の筆記具の保持収納が可能になり、予定の記入時に即応できる利便性がある。
【発明を実施するための最良の形態】
【００１０】
本発明の実施形態を図面に基づき説明する。
【実施例】
【００１１】
図１は、本発明の二ヶ月カレンダーを構成する部材を示す斜視図である。図１に示すように本発明の二ヶ月カレンダーは、所定枚数の暦葉１と、これら暦葉をまとめて吊り下げるための吊り下げ台紙２と、暦葉１と吊り下げ台紙２を上縁に沿う所定幅で綴じ合わせるためにコの字状に折り曲げられたカバー紙片３と、吊り下げ台紙２の下縁に沿って設けられた所定幅の折り返し部４に掛合するホルダー５で構成されている。暦葉１と吊り下げ台紙２の上縁に所定幅で設定された綴じ代６、６´には円形貫通孔７、７´が列設され、綴じ代６の下辺側に切り取り用ミシン目８が打ち抜き形成されている。吊り下げ台紙２は、図１の通り横の長さは暦葉１と同幅で、天地方向は若干長いことが好ましいが、暦葉１と同寸法でも差し支えなく製作面ではむしろ容易である。
【００１２】
図２は、本発明の組み立て順序を示す説明図である。図1の通り、所定枚数の暦葉１の背後に吊り下げ台紙２を重ね合わせ、暦葉１と吊り下げ台紙２の上縁に所定幅で設定された綴じ代６、６´に円形貫通孔７、７´を列設した上、ホットメルト接着剤を注入し、コの字状に折り曲げられたカバー紙片３により挟持し圧着することにより図２の通り綴じ部９が形成される。吊り下げ台紙２の下縁に沿って設けられた所定幅の折り返し部４には、暦葉１を挿着挟持する構造を持ったホルダー５を掛合しており、この状態から該ホルダー５を後ろ側に持ち上げて使用に供する。
【００１３】
図３は、本発明の図２に続く組み立て順序を示す説明図である。ホルダー５を壁に掛けると、綴じ部９を中央にして、吊り下げ台紙２が上で暦葉１が下の状態になる。次に、最表部の暦葉１０が表す月になった時、暦葉１に打ち抜き形成された切り取り用ミシン目８で最表部の暦１０を切り取る。
【００１４】
図４は、本発明の一実施例を示す斜視図である。図３で切り取った最表部の暦葉１０をホルダー５の挿着挟持部１１に挿入すれば、暦葉１には次月の暦１２が表れ、上が先の月で下が後の月という位置関係で二ヶ月分の暦を一覧することができる。以後、先の月の終了時点で後の月の暦を切り取り、それをホルダー５の挿着挟持部１１に挿入することを繰り返せば、一年を通して常に上が先の月で下が後の月という位置関係が変わらない二ヶ月分の暦を一覧できるという利便性がある。
【００１５】
図５は、本発明の他の実施例を示す斜視図である。本発明の二ヶ月カレンダーのホルダー５を壁に掛けると、綴じ部９が前方上向き傾斜状に形成されるので、数本の筆記具１３、１３´の保持収納が可能になり、予定の記入時に即応できる利便性がある。
【００１６】
尚、図３における本発明の二ヶ月カレンダーを使用状態にした時の吊り下げ台紙２の表面は様様な利用に供することができる。当該カレンダーの使用方法の説明書きのみならず、広告宣伝の情報発信媒体として、また1月暦あるいは前年の12月暦を印刷すれば全体の暦葉の枚数を減少させることができ、且吊り下げるだけで最初の二ヶ月分の暦が表示できる。さらに、本発明の二ヶ月カレンダーは、主に当月と次月の二ヶ月を表示することを前提としているが、好みによって先月と当月の二ヶ月を表示するパターンで使用しても差し支えない。
【図面の簡単な説明】
【００１７】
【図１】本発明の二ヶ月カレンダーを構成する部材を示す斜視図である。
【図２】本発明の組み立て順序を示す説明図である。
【図３】本発明の図２に続く組み立て順序を示す説明図である。
【図４】本発明の一実施例を示す斜視図である。
【図５】本発明の他の実施例を示す斜視図である。
【符号の説明】
【００１８】
１  暦葉
２  吊り下げ台紙
３  カバー紙片
４  折り返し部
５  ホルダー
６、６´  綴じ代
７、７´  円形貫通孔
８  切り取り用ミシン目
９  綴じ部
１０  最表部の暦
１１  挿着挟持部
１２  次月の暦
１３、１３´  筆記具
【図１】
2007050603.tif 000003
【図２】
2007050603.tif 000004
【図３】
2007050603.tif 000005
【図４】
2007050603.tif 000006
【図５】
2007050603.tif 000007